(57)【要約】【課題】固体高分子電解質膜の乾燥を防ぎ、高性能で、コンパクトな固体高分子型燃料電池システムを提供する。【解決手段】電池部９に、未反応ガスと既反応ガスの熱交換器５０と湿度交換器５７が隣接して配置されている。また、熱交換器５０と湿度交換器５７は一体化された構造となっている。また、電池部で反応した既反応ガスである排出空気は、既反応ガス出口５１から既反応ガス通路５６を通って、熱交換器５０へと導か、一方、未反応ガスは、未反応ガス入口１２より熱交換器５０へと導かれるように構成されている。そして、熱交換器５０の内部では、図１２に示したように、不透過性の熱交換プレート５４を介して、未反応ガスと既反応ガスとの熱交換が行われるように構成されている。【選択図】図１１
2006302910.tif 000002
【特許請求の範囲】
【請求項１】
固体高分子膜を電解質とする固体高分子型燃料電池スタックと、電池反応部を通過した既反応ガスと、電池反応部を通過する前の未反応ガスとの熱交換手段を備え、
前記熱交換手段の下流側に、既反応ガスと未反応ガスとを保水性の多孔質体を介して接触させることにより湿度交換を行う湿度交換手段を設けたことを特徴とする固体高分子型燃料電池システム。
【請求項２】
前記熱交換手段と湿度交換手段は、その断面形状を燃料電池スタックと同様な形状とするとともに、燃料電池スタックと一体化して構成されていることを特徴とする請求項１記載の固体高分子型燃料電池システム。
【請求項３】
前記保水性の多孔質体は、イオン交換膜を含む複数の高分子膜の層より形成されていることを特徴とする請求項１又は２に記載の固体高分子型燃料電池システム。
【請求項４】
前記保水性の多孔質体は、少なくともイオン交換膜と親水性の処理を施した繊維状の補強膜を含む複数の高分子膜の層より形成されていることを特徴とする請求項１乃至請求項３のいずれか一に記載の固体高分子型燃料電池システム。
【請求項５】
前記保水性の多孔質体は、少なくともイオン交換膜と繊維状の補強膜を含む複数の高分子膜の層より形成され、前記繊維状の補強膜が既反応ガスと接触するように構成されていることを特徴とする請求項１乃至請求項４のいずれか一に記載の固体高分子型燃料電池システム。
【請求項６】
前記既反応ガスと未反応ガスは、酸化剤ガスであることを特徴とする請求項１乃至請求項５のいずれか一に記載の固体高分子型燃料電池システム。
【発明の詳細な説明】
【技術分野】
【０００１】
本発明は、固体高分子型燃料電池システムに係り、特に、固体高分子型燃料電池の既反応ガス中に含まれる熱および水蒸気を未反応ガスに移動させる、温度および湿度交換構造に改良を施した固体高分子型燃料電池システムに関するものである。
【背景技術】
【０００２】
燃料電池は、水素等の燃料と空気等の酸化剤を電気化学的に反応させることにより、燃料の持つ化学エネルギーを直接電気エネルギーに変換する装置である。この燃料電池は、用いられる電解質の種類により、アルカリ型、固体高分子型、リン酸型等の低温作動燃料電池と、溶融炭酸塩型、固体酸化物型等の高温作動燃料電池とに大別される。なかでも、電解質としてプロトン伝導性を有する固体高分子電解質膜を用いた固体高分子型燃料電池は、コンパクトな構造で高出力密度が得られ、かつ簡易なシステムで運転が可能なことから、宇宙用や車両用などの電源として注目されている。
【０００３】
図１３は、固体高分子型燃料電池の構成を示したものである。すなわち、固体高分子型燃料電池は、アノード電極１ａ、カソード電極１ｂからなる一対のガス拡散電極に、それぞれＰｔ等からなる触媒層２ａ、２ｂを介して、イオン伝導性とガス分離機能を有する固体高分子電解質膜３を挟持させた単電池４と、それぞれの電極に反応ガスを供給するための溝を有するガス不透過性のセパレータ５で構成される。そして、アノード電極１ａに水素等の燃料ガス、カソード電極１ｂに空気等の酸化剤ガスを供給すると、電気化学反応により単電池４で起電力が生じる。この単電池４の起電力は高々１Ｖ程度と低いため、通常複数の単電池を積層した電池スタックとして使用される。
【０００４】
この電気化学反応は発熱反応であるため、余剰な熱を除去する必要がある。そのため、単電池４をセパレータ５を介して複数積層した単電池積層体６ごとに、内部に冷媒を流通させた冷却板７が挿入されている。また、系外へのガスリークは、ガス利用率の低下や水素等の可燃ガスによる爆発の危険性が生じるため、固体高分子電解質膜３とセパレータ５との間は、シール剤８によってガスシールされている。さらに、カソード電極１ｂでは、電極反応に伴い水が生成されるが、電極反応部に水が凝縮するとガス拡散性が悪化するため、この水は未反応ガスと共に電池外に排出されるように構成されている。
【０００５】
また、固体高分子電解質膜３としては、例えば、フッ素系イオン交換膜であるパーフルオロスルホン酸膜が知られているが、これらの固体高分子電解質膜は、分子中に水素イオンの交換基を持ち、飽和含水することによりイオン伝導性物質として機能する。
【０００６】
しかし、逆に固体高分子電解質膜が乾燥すると、イオン導電性が悪化し電池性能が著しく低下するため、固体高分子電解質膜の乾燥を防ぐような様々な手法が知られている。例えば、固体高分子電解質膜のような水蒸気透過膜の両面に水と反応ガスを流通させる構造の加湿器を用いて、予め反応ガスを加湿して供給する手法がある。この場合、通常加湿器は電池スタックと一体化されている。また、アノード電極、カソード電極に供給する反応ガスを互いに対向するように流通させ、運転温度を６０℃以下にして反応ガスの相対湿度を高めれば、反応ガスを加湿することなく発電可能であることも知られている。
【０００７】
一方、特許文献１に示された発明のように、水蒸気透過膜によって隔てられたガス室に、それぞれ既反応ガスと未反応ガスを導くことにより、未反応ガスを加湿する方法が提案されている。この場合、電極反応に伴いカソード側で水蒸気が生成されるため、既反応ガスには飽和もしくはそれに近い水蒸気が含まれることなる。一方、未反応ガスに含まれる水蒸気量は少ないため、それぞれのガスには水蒸気分圧差が生じ、これを駆動力として、水蒸気を濃度拡散させることができる。
【０００８】
また、電池スタックの構成に関しては、特許文献２に示されているように、例えば、車載用などに応用する場合には、居住空間の床下にスタックを設置する場合があり、上下の狭い空間に設置する必要性から、電池スタックを偏平とすることが知られている。この場合、主要構成要素であるセパレータは長方形形状となり、流速を確保するために反応ガスを長辺に沿って流す構成となっている。
【特許文献１】特開平６−１３２０３８号公報
【特許文献２】特開平１０−１７２５８７号公報
【発明の開示】
【発明が解決しようとする課題】
【０００９】
しかしながら、上述したような加湿器や湿度交換によって反応ガスを加湿する方法には、以下に述べるような様々な問題点がある。すなわち、水蒸気透過膜の両面に水と反応ガスを流通させる構造の加湿器では、外気温が０℃以下に低下すると水流路で凍結が生じ、流路の閉塞を招いたり、氷の体積膨張により水蒸気透過膜膜が破れたり、セパレータが変形するといった恐れがある。
【００１０】
一方、加湿器を用いずに無加湿運転を行う場合は、固体高分子電解質膜や電池特性の長期安定性に問題があるばかりでなく、通常の運転温度である７０〜９０℃よりも低い６０℃以下で運転するため、改質ガスなどのように燃料中にＣＯを含むような燃料では、アノード触媒のＣＯ被毒によりアノード分極が増大し、電池特性が著しく低下するといった問題がある。
【００１１】
さらに、水蒸気透過膜によって隔てられたガス室に、それぞれ既反応ガスと未反応ガスを導くことにより加湿を行う方法では、両ガスの水蒸気分圧差だけで加湿を行うため、既反応ガス側での水蒸気濃度勾配による拡散抵抗、水蒸気透過膜内の拡散抵抗、さらに未反応ガス側での拡散抵抗など、水蒸気の拡散抵抗が非常に大きくなるため、十分な加湿をする場合には大きな加湿器が必要となり、コストがかかると同時にスペース的な制約にも問題がある。
【００１２】
また、長方形の断面を有する電池スタックに加湿器を一体化した構造を採用した場合には、加湿器の長辺側に沿って反応ガスを流すと、１セル当たりに加湿器を流れる流量が電池部に比較して一般的に多いため、圧損が極めて大きくなるといった欠点がある。圧損が大きくなると、ガスを供給するための圧力を上げる必要があり、そのための動力が増えることに繋がり、システムの効率低下を招くことになる。さらに、反応ガスが空気の場合には、大きなファンまたはコンプレッサが必要となるため、その設置スペースやコストが大きな問題となる。
【００１３】
本発明は、上述したような従来技術の問題点を解消するために提案されたものであり、その目的は、固体高分子電解質膜の乾燥を防ぎ、高性能で、コンパクトな固体高分子型燃料電池システムを提供することにある。
【課題を解決するための手段】
【００１４】
上記課題を解決するために、本発明の固体高分子型燃料電池システムは、固体高分子膜を電解質とする固体高分子型燃料電池スタックと、電池反応部を通過した既反応ガスと、電池反応部を通過する前の未反応ガスとの熱交換手段を備え、前記熱交換手段の下流側に、既反応ガスと未反応ガスとを保水性の多孔質体を介して接触させることにより湿度交換を行う湿度交換手段を設けたことを特徴とするものである。
【００１５】
上記のような構成を有する本発明によれば、温度交換を行った後に湿度交換をさせるので、より効率の良い湿度交換が可能となる。すなわち、既反応ガスのエンタルピは、生成水が水蒸気となって含まれているために、未反応ガスが保有するエンタルピよりも数倍大きい。つまり、両ガスを熱交換させると、未反応ガスの温度の上昇に比べて既反応ガスの温度の低下はそれほど大きくないため、未反応ガスの温度を十分に上昇させておいてから湿度交換させると、分圧差がより大きくとれるので、より効率の良い湿度交換が可能となる。つまり、よりコンパクトなシステムを提供することができる。
【００１６】
また、本発明の他の態様では、熱交換手段と湿度交換手段の断面形状を燃料電池スタックと同様な形状とするとともに、燃料電池スタックと一体化して構成したことを特徴とするものである。上記のような構成を有する本発明の一態様によれば、熱交換手段、湿度交換手段及び燃料電池スタックを一体化して構成することにより、無駄な配管接続をする必要がなくなり、スペース効率を向上させることができるとともに、配管からの放熱をなくすことができるので、より効率の高いシステムを提供することができる。
【発明の効果】
【００１７】
本発明によれば、安定した確実な未反応ガスの加湿が可能となるばかりでなく、湿度交換効率が向上するため、よりコンパクトなシステムを提供することが可能となる。また、熱交換器と湿度交換器を一体化することにより、さらにコンパクトで高効率のシステムの提供が可能となる。
【発明を実施するための最良の形態】
【００１８】
以下、本発明の実施の形態（以下、実施形態という）について、図面を参照して具体的に説明する。
【００１９】
［１．第１実施形態］
［１−１．構成］
図１は、本発明の固体高分子型燃料電池システムの第１実施形態の構成を示す分解斜視図である。なお、本実施形態では、酸化剤ガスである空気の温湿度交換を行う例について示している。すなわち、図１に示すように、本実施形態の固体高分子型燃料電池システムは、電池部９と温湿度交換部１０とが一体化されて構成されている。電池部９の温湿度交換部１０との接合面には、酸化剤ガスである未反応の空気を電池部に導入するための電池部未反応酸化剤ガス入口１７と、既反応の酸化剤ガスを電池部から排出するための電池部既反応酸化剤ガス出口１８が設けられている。また、燃料ガスを電池部に導入するための電池部燃料ガス入口１９、燃料ガスを電池部から排出するための電池部燃料ガス出口２０、冷却媒体を電池部に導入するための電池部冷却媒体入口２１及び冷却媒体を電池部から排出するための電池部冷却媒体出口２２が設けられている。
【００２０】
一方、温湿度交換部１０には、その前面に、酸化剤ガスである未反応の空気を温湿度交換部１０に導入するための未反応酸化剤ガス入口１２と、既反応の酸化剤ガスを温湿度交換部１０から排出するための既反応酸化剤ガス出口１１が設けられている。また、燃料ガスを温湿度交換部１０に導入するための燃料ガス入口１３、燃料ガスを温湿度交換部１０から排出するための燃料ガス出口１４、冷却媒体を温湿度交換部１０に導入するための冷却媒体入口１５及び冷却媒体を温湿度交換部１０から排出するための冷却媒体出口１６が設けられている。
【００２１】
また、温湿度交換部１０の前面のエンドプレート２３ａには、前記未反応酸化剤ガス入口１２に連通する未反応ガス入口マニホールド２４と、前記既反応酸化剤ガス出口１１に連通する既反応ガス出口マニホールド２６が設けられている。一方、後面のエンドプレート２３ｂには、前記電池部未反応酸化剤ガス入口１７に連通する未反応ガス出口マニホールド２５と、前記電池部既反応酸化剤ガス出口１８に連通する既反応ガス入口マニホールド２７が設けられている。なお、本実施形態の温湿度交換部１０は、酸化剤ガスである空気のみを対象としているので、燃料ガス、冷却媒体等はいずれも温湿度交換部１０に設けられた後述するマニホールド孔を通過して、電池部９へと供給されるように構成されている。
【００２２】
図２は、温湿度交換部の縦断面図を示すものである。すなわち、温湿度交換部は、前面のエンドプレート２３ａと後面のエンドプレート２３ｂとの間に、未反応ガスメッシュプレート３２ａ、既反応ガスメッシュプレート３２ｂ及び保水性の多孔質体３０を交互に積層してなる温湿度交換セルを備えている。また、前面のエンドプレート２３ａの上部には、上述した未反応ガス入口マニホールド２４が配設され、下部には、上述した既反応ガス出口マニホールド２６が配設されている。一方、後面のエンドプレート２３ｂの上部には、上述した既反応ガス入口マニホールド２７が配設され、下部には、上述した未反応ガス出口マニホールド２５が配設されている。
【００２３】
続いて、前記多孔質体３０とメッシュプレート３２について説明する。本発明において、多孔質体に必要な機能は、多孔質体を介して熱交換が効率よく行われること、既反応ガスに含まれる水蒸気の凝縮水を多孔質体に保持できることと、凝縮した水が浸透圧によって多孔質体を通り、未反応ガス側で表面における水蒸気分圧の差によって蒸発できるとともに、水蒸気以外の気体の透過性が小さいことである。
【００２４】
本実施形態では、これらの要件を満たすべく、多孔質体３０として、親水性の処理を施した不織布の表面に１μｍ以下の気孔径の小さい薄膜を張り付けた多孔質体を用いている。また、この薄膜としては、ガスの選択透過性に優れたイオン交換膜を用いている。そして、未反応空気と既反応空気が多孔質体３０を介して接触すると、未反応ガスの温度が既反応ガスの温度よりも低いために、既反応ガスに含まれる水蒸気が多孔質体内で凝縮し、多孔質体全体が濡れ、未反応ガス側で分圧差による蒸発が起こり、未反応ガスが加湿されるようになっている。
【００２５】
また、メッシュプレート３２は、図３及び図４に示したように、中央部に酸化剤ガスである空気を流通させるためのメッシュ３１が組み込まれており、その周囲にはガスシール４３が設けられ、空気の周囲への漏れを防止している。ここで用いているメッシュはステンレスのメッシュであるが、これに限られることはなく、耐食処理を施したアルミニウムであってもよく、また高分子系の材料を用いたメッシュでも構わない。但し、メッシュの織り方としては、平織り等、ガスが面方向に流通できるメッシュでなければならない。また、メッシュの構成としては、平織り、綾織り等、細線を織ったものや、平板上の薄板から細かい切り起こしを設けたグレーティングメッシュ等、ガスが面方向に流通できるメッシュでなければならない。
【００２６】
さらに、このメッシュに撥水加工をすることにより、凝縮によって生じた凝縮水をメッシュ流路から効果的に排出することにより、メッシュの流路圧損を減少させることができる。また、複数のメッシュ層を形成することにより、流路圧損を低下させたり、より強度を上げることも可能である。さらに、撥水加工と親水加工を行った複数のメッシュ層とすることにより、より効果的な排水機能と保水機能を持たせることができることはいうまでもない。
【００２７】
なお、図３は、温湿度交換セル内の未反応ガスメッシュプレート３２ａを示した平面図であり、図４は、既反応ガスメッシュプレート３２ｂを示した平面図である。すなわち、図３に示したように、未反応ガスメッシュプレート３２ａにおいては、中央部に設けられたメッシュ３１は、その上部に設けられた未反応ガス入口マニホールド孔４０と、下部に設けられた未反応ガス出口マニホールド孔４１と連通されている。一方、図４に示したように、既反応ガスメッシュプレート３２ｂにおいては、中央部に設けられたメッシュ３１は、その上部に設けられた既反応ガス入口マニホールド孔４２と、下部に設けられた既反応ガス出口マニホールド孔３９と連通されている。
【００２８】
また、図３及び図４に示したように、ガスシール４３には各ガスのマニホールド孔が設けられている。すなわち、メッシュ３１の左側部には、燃料ガス入口マニホールド孔３５及び冷却媒体入口マニホールド孔３７が設けられ、右側部には、燃料ガス出口マニホールド孔３６及び冷却媒体出口マニホールド孔３８が設けられている。
【００２９】
［１−２．作用］
上記のような構成を有する本実施形態の固体高分子型燃料電池システムは、以下のように作用する。すなわち、酸化剤ガスである未反応の空気は、温湿度交換部１０の前面のエンドプレート２３ａに設けられた空気入口部１２を通って温湿度交換部１０へと導かれ、前面のエンドプレート２３ａの内部に設けられた未反応ガス入口マニホールド２４を通って、各温湿度交換セルに分配され、未反応ガス出口マニホールド２５を通って電池部９へ導入される。同時に、電池部から排出された高温、高湿の既反応空気は、後面のエンドプレート２３ｂ内に設けられた既反応ガス入口マニホールド２７を通って、温湿度交換セルに分配され、既反応ガス出口マニホールド２６を通って外部に排出される。
【００３０】
温湿度交換セルは、図２に示したように、未反応ガスメッシュプレート３２ａ、既反応ガスメッシュプレート３２ｂ及び保水性の多孔質体３０を交互に積層した構造となっており、未反応空気と既反応空気が多孔質体３０を介して接触することにより、温湿度交換が行われる。すなわち、未反応ガスの温度は既反応ガスの温度よりも低いために、両者が接触すると、既反応ガスに含まれる水蒸気が多孔質体内で凝縮し、多孔質体全体が濡れ、未反応ガス側で分圧差による蒸発が起こり未反応ガスが加湿される。
【００３１】
この場合、温湿度交換セル内の未反応ガスメッシュプレート３２ａにおいては、図２及び図３に示したように、前面のエンドプレート２３ａ内の未反応ガス入口マニホールド２４を通って温湿度交換部へ導かれた未反応ガスは、未反応ガス入口マニホールド孔４０に導かれ、メッシュ３１の流路を通って、既反応ガスと温度、湿度交換を行った後、高温、高湿の空気となって未反応ガス出口マニホールド孔４１へ導出される。未反応ガス出口マニホールド孔４１を出た空気は、後面のエンドプレート２３ｂの内部に設けられた未反応ガス出口マニホールド２５を通って、電池部の未反応酸化剤ガス入口１７へと導かれる。
【００３２】
一方、温湿度交換セル内の既反応ガスメッシュプレート３２ｂにおいては、図２及び図４に示したように、後面のエンドプレート２３ｂ内の既反応ガス入口マニホールド２７を通って温湿度交換部へ導かれた高温、高湿の既反応ガスは、既反応ガス入口マニホールド孔４２に導かれ、メッシュ３１の流路を通って、未反応ガスと温度、湿度交換を行った後、既反応ガス出口マニホールド孔３９を通って、前面のエンドプレート２３ａの内部に設けられた既反応ガス出口マニホールド２６を通り、外部へと排出される。
【００３３】
なお、本実施形態の温湿度交換部は、酸化剤ガスである空気のみを対象としているので、燃料ガス、冷却媒体等はいずれも温湿度交換部に設けられたマニホールド孔を通過し、電池部へと供給される。
【００３４】
［１−３．効果］
このように、本実施形態によれば、温湿度交換部において、未反応ガスと既反応ガスを温度及び湿度交換させることにより、未反応ガスを電池反応に適した高温、高湿の状態とすることができるので、未反応ガスを加湿するために液体状の水を用いる必要がなく、低温時における凍結の問題がない。
【００３５】
さらに、温湿度交換部の内部の反応ガス流路を、１層又は複数層のメッシュ状の流路で構成することにより、メッシュの両面で温度、湿度交換が行われるために、交換面積を最大限にすることができるので、よりコンパクトなシステムとすることができる。また、既反応ガス中に含まれる水蒸気の凝縮量が増加し、既反応ガスと接する多孔質体への水の供給がより安定するために、より信頼性の高いシステムを提供することができる。
【００３６】
また、ステンレスのメッシュまたはアルミニウム等の金属のメッシュを用いることにより、このメッシュが伝熱フィンとして働くために、より効率のよい熱交換が行われることから、さらにコンパクトな温湿度交換部とすることができる。また、多少熱的なロスはあるが、メッシュに高分子材料を用いることにより、非常に軽量で安価な温湿度交換部を構成することができる。
【００３７】
また、凝縮水が多孔質体の保水能力以上に出てメッシュの中に溜まると、流路断面積が少なくなり流路の圧損が増加するが、メッシュを構成する部材に撥水加工を施すことにより、凝縮水を速やかに排出し、流路の圧損を低くすることができる。その結果、反応ガスを供給する圧力を小さくし、そのための動力を低減できるので、より高効率なシステムの提供が可能となる。さらにメッシュ層を複数層とし、目の細かいものと粗いものを組み合わせたり、撥水処理と親水処理を組み合わせたりすることにより、より効果的な水の排出や、保水性の向上を可能とすることができる。
【００３８】
さらに、温湿度交換部と電池部とを一体化することにより、熱ロスがなくなり、高効率となるばかりでなく、接続配管が不要となることから、スペース効率を最大限にすることができ、コンパクトなシステムを提供できる。
【００３９】
また、反応ガスとしては、酸化剤である空気側が量的にも支配的であり、また改質ガスを用いる場合、燃料ガス側はある程度加湿されていることから、温湿度交換部の対象を酸化剤ガスである空気のみとすることにより、システムを単純化できるので、コンパクトで安価なシステムが提供できる。
【００４０】
［１−４．他の実施形態］
なお、本実施形態においては、メッシュ流路は未反応ガス、既反応ガス両方のガス流路に設けられているが、通常、未反応ガスの圧力は既反応ガスの圧力よりも高いために、未反応ガス側から既反応ガス側へと多孔質体を押し付ける力が加わるために、未反応ガス側の流路が確保されるので、未反応ガス側のメッシュを省略してもよい。
【００４１】
また、本実施形態では温湿度交換部と電池部が一体化された構成であるが、これを分離した状態で使用しても構わない。しかし、分離した構成とした場合には、両者を配管によって接続する必要があるため、配管からの放熱ロス、スペース効率の低下は免れない。さらに、本実施形態ではメッシュを用いたが、メッシュと同等の効果のある多孔質体を、メッシュの替わりに利用できることは言うまでもない。
【００４２】
［２．第２実施形態］
第２実施形態は、上記第１実施形態の変形例であり、電池スタックの断面形状が偏平である場合を示したものである。
【００４３】
［２−１．構成］
固体高分子型燃料電池システムを車載用や家庭用機器に応用する場合には、コンパクト化が非常に重要な問題である。特に、上下の狭いスペースへ設置する場合には、偏平な電池スタックが必要となる。図５は、電池スタックが偏平断面をしている場合の、温湿度交換部の未反応ガスメッシュプレート３２ａを示したものである。図から明らかなように、未反応ガスメッシュプレート３２ａも、電池スタックの形状に対応して、上下が短く、左右に長い長方形となっている。
【００４４】
また、図５に示したように、未反応ガスメッシュプレート３２ａにおいては、中央部に設けられたメッシュ３１は、その上部に設けられた未反応ガス入口マニホールド孔４０と、下部に設けられた未反応ガス出口マニホールド孔４１と連通されており、未反応ガス入口マニホールド孔４０に導かれた未反応空気は、メッシュ部３１を通って、未反応ガス出口マニホールド孔４１へと導かれるように構成されている。
【００４５】
同様に、既反応ガスメッシュプレート３２ｂにおいても、図６に示したように、中央部に設けられたメッシュ３１は、その上部に設けられた既反応ガス入口マニホールド孔４２と、下部に設けられた既反応ガス出口マニホールド孔３９と連通され、既反応ガス入口マニホールド孔４２に導かれた既反応空気は、メッシュ部３１を通って、既反応ガス出口マニホールド孔３９へと導かれるように構成されている。なお、上記第１実施形態で示した図３及び図４と共通な部分には同一符号を付し、説明は省略する。
【００４６】
本実施形態のような長方形断面の電池部および温湿度交換部では、反応ガスの流路圧損を低くすることが極めて重要となる。この場合、電池部では、電池の性能を確保するために、反応ガスの流速をある程度確保する必要があるため、反応ガスを長辺に沿って流すことは従来例の説明でも述べた通りである。これに対して、温湿度交換部においては、その性能は必ずしも流速に大きく左右されないので、本実施形態では、短辺に沿って反応ガスを流すように構成されている。
【００４７】
［２−２．作用］
上記のような構成を有する本実施形態の固体高分子型燃料電池システムも、第１実施形態と同様に作用する。すなわち、温湿度交換セル内の未反応ガスメッシュプレート３２ａに導かれた未反応ガスは、未反応ガス入口マニホールド孔４０に導かれ、メッシュ３１の流路を短辺方向に流れて、既反応ガスと温度、湿度交換を行った後、高温、高湿の空気となって未反応ガス出口マニホールド孔４１へ導出される。一方、温湿度交換セル内の既反応ガスメッシュプレート３２ｂに導かれた高温、高湿の既反応ガスは、既反応ガス入口マニホールド孔４２に導かれ、メッシュ３１の流路を短辺方向に流れて、未反応ガスと温度、湿度交換を行った後、既反応ガス出口マニホールド孔３９を通って、外部へと排出される。
【００４８】
一般に、加湿ユニットは電池スタックに比較して小さいため、温湿度交換セル１枚に流れるガス流量は、電池セルの数倍に相当する。したがって、電池部と同様に長辺に沿って流すと、未反応ガスと既反応ガスが直列関係にあることもあって、非常に大きな圧損が生じる。しかしながら、本実施形態においては、温湿度交換部内部の反応ガスの流れを短辺方向に沿って流すことができるので、流路長さを短くでき、流路圧損を小さくすることができる。また、流路断面積は大きくできるので、反応ガスの流速を小さくすることができ、圧損をさらに小さくすることができる。
【００４９】
［２−３．効果］
このように、本実施形態によれば、温湿度交換部における反応ガスの流れを、短辺方向に沿って流すことができるので、流路長さを短くでき、同時に流路断面積は大きくできるので、反応ガスの流速を小さくすることができ、流路圧損を小さくすることができる。その結果、空気を送り込むためのエネルギーを小さくすることができ、また、小さな空気供給ファンを用いることができるので、高効率でコンパクトな、安価なシステムの提供が可能となる。
【００５０】
［２−４．他の実施形態］
図７及び図８は、本実施形態の変形例を示したものであり、未反応ガスメッシュプレート及び既反応ガスメッシュプレートの構造をより単純化したものである。すなわち、図７に示したように、未反応ガスメッシュプレート３２ａのメッシュ３１の上部に設けられる未反応ガス入口マニホールド孔４０を、メッシュ３１の左上方にＬ字状に設け、また、下部に設けられる未反応ガス出口マニホールド孔４１を、メッシュ３１の右下方にＬ字状に設けている。同様に、図８に示したように、既反応ガスメッシュプレート３２ｂのメッシュ３１の上部に設けられる既反応ガス入口マニホールド孔４２を、メッシュ３１の右上方にＬ字状に設け、また、下部に設けられる既反応ガス出口マニホールド孔３９を、メッシュ３１の左下方にＬ字状に設けている。
【００５１】
その結果、図７及び図８に示した変形例では、それぞれのガスがメッシュプレートのほぼ対角線上に流れることになるため、その流路の長さは図５及び図６に示した実施形態よりも長くなり、多少圧損が増加するが、構造はより単純となるというメリットがある。
【００５２】
［３．第３実施形態］
第３実施形態は、上記第１実施形態の変形例であり、未反応ガスと既反応ガスが多孔質体を介して互いに対向するように流れる構成としたものである。
【００５３】
［３−１．構成］
図９は、第３実施形態における温湿度交換部の縦断面図である。なお、図２と同じ構成要素には同一の符号を付してある。本実施形態においては、未反応ガスと既反応ガスを多孔質体３０を介して互いに対向するように流れる構成とするために、後面のエンドプレート２３ｂの上部には、電池部から排出された既反応ガスが導かれる第１の既反応ガス入口マニホールド２７ａが設けられ、この第１の既反応ガス入口マニホールド２７ａに導入された既反応ガスは、エンドプレート２３ｂ内を通って、下部に設けられた第２の既反応ガス入口マニホールド２７ｂに導かれ、各温湿度交換セルへと分配されるように構成されている。そして、温度、湿度交換された既反応ガスは、前面のエンドプレート２３ａの上部に設けられた第１の既反応ガス出口マニホールド２６ａに導かれ、この第１の既反応ガス出口マニホールド２６ａに導入された既反応ガスは、エンドプレート２３ａ内を通って、下部に設けられた第２の既反応ガス出口マニホールド２６ｂに送られ、外部へと排出されるように構成されている。一方、未反応ガス側の構成は図２と同様であるため、未反応ガスは図中上から下へ流れ、既反応ガスは下から上へと流れるので、両者は多孔質体３０を介して互いに対向する方向に流れるようになっている。
【００５４】
［３−２．作用・効果］
上記のような構成を有する本実施形態においては、未反応ガスと既反応ガスが多孔質体を介して互いに対向して流れるために、対向型の熱交換器と同様の形態となる。一般に、伝熱面積が等しい場合には、対向型の熱交換器は並流型の熱交換器に比べて高い効率が期待できる。また、湿度交換の場合も、物質伝達のアナロジが熱伝達と同様であることが知られており、対向型の方が物質交換効率が良い。したがって、より高効率な温湿度交換部となるため、コンパクトで、高効率なシステムを提供することができる。
【００５５】
［４．第４実施形態］
［４−１．構成］
図１０は、本実施形態における保水性の多孔質体の縦断面図である。これまで説明してきたように、本発明は保水性の多孔質体を介して温度と湿度の交換を行うことが基本的な構成となっている。そのため、多孔質体に必要な機能は、多孔質体を介して熱交換が効率よく行われること、既反応ガスに含まれる水蒸気が凝縮した水を多孔質体に保持できること、凝縮した水が浸透圧によって多孔質体を通り、未反応ガス側で表面における水蒸気分圧の差によって蒸発できるとともに、水蒸気以外の気体の透過性が小さいことである。
【００５６】
これらの機能を実現するために、本実施形態で用いられる多孔質体は、２層構造をとっている。つまり、図１０に示したように、イオン交換膜４５に補強膜４６が貼り付けられている。ここで用いているイオン交換膜４５は、厚みが数十ミクロンで、水分は通すがその他のガスは通しにくい性質を持っており、ガスの選択透過性に優れている。そして、このイオン交換膜に水分を安定して供給するために、ポリプロピレンを材料とする繊維状の補強膜４６を貼り付け、強度を増すと同時に、凝縮水を毛細管作用によって膜面に均一に供給できるように構成されている。
【００５７】
さらに、補強膜４６の保水性を向上させるために、繊維状の補強膜に親水性処理を行うことも可能である。また、凝縮水は既反応ガス側で生成されることから、保水性の面を既反応ガスが通る流路に接するよう構成すると、さらなる性能向上が可能である。また、２層構造だけでなく、さらに複数の積層構造とすることにより、ガスの選択透過性をより高めたり、保水性を高めることも可能である。
【００５８】
［４−２．作用・効果］
上記のような構成を有する本実施形態においては、イオン交換膜に補強膜が貼り付けられているために、十分な膜の強度を得ることができる。また、ガスの選択透過性が優れることから、圧力の高い未反応ガスから既反応ガス側へのガスの透過が最小限に食い止められるので、空気を供給するための動力を最小限とすることができ、効率の良いシステムを提供することができる。
【００５９】
また、繊維状の補強膜を用いることにより、膜の強度を上げると同時に、毛細管作用によって凝縮水を膜面に均一に供給することができるので、効率の良い安定した湿度交換が可能となるため、信頼性の高いシステムの提供が可能となる。さらに、補強膜の保水性を向上させるために、繊維状の補強膜に親水性処理を行うことによって、保水性をさらに向上させることができる。また、保水性を向上させた繊維状の補強膜を、既反応ガスが通る流路に接するように配置することによって、さらなる性能向上が期待できる。
【００６０】
［５．第５実施形態］
［５−１．構成］
図１１は、本実施形態の固体高分子型燃料電池システムの構成を示すものであり、図１２は、熱交換器と湿度交換器の縦断面図を示すものである。なお、それぞれ、図１と同じ構成要素には同一符号を付し、説明は省略する。また、本実施形態においても、酸化剤ガスである空気のみを対象としている。
【００６１】
すなわち、図１１に示したように、本実施形態においては、電池部９に、未反応ガスと既反応ガスの熱交換器５０と湿度交換器５７が隣接して配置されている。また、熱交換器５０と湿度交換器５７は一体化された構造となっている。また、電池部で反応した既反応ガスである排出空気は、既反応ガス出口５１から既反応ガス通路５６を通って、熱交換器５０へと導かれ、一方、未反応ガスは、未反応ガス入口１２より熱交換器５０へと導かれるように構成されている。そして、熱交換器５０の内部では、図１２に示したように、不透過性の熱交換プレート５４を介して、未反応ガスと既反応ガスとの熱交換が行われるように構成されている。
【００６２】
通常、熱交換プレート５４には、ステンレスや耐食コーティングしたアルミニウムの薄板が用いられる。また、熱交換プレート５４には、それぞれのガスの流路を確保するために、その両面にプレスによって溝５８が設けられ、その周囲にはシール部材５５が設置され、ガスの漏れを防止している。
【００６３】
そして、熱交換され温度が上昇した未反応ガスは、次に、湿度交換器５７へと導かれ、同時に、多少温度が低下し、凝縮水を含んだ既反応ガスも湿度交換器５７へと導かれるように構成されている。この湿度交換器５７は、上記第３実施形態と同様の形態（対向流型）をとり、未反応ガスと既反応ガスとの湿度交換が行われる。この湿度交換器５７を出た未反応ガスは電池部９へ供給され、既反応ガスは既反応ガス排出孔５２から外部へと排出される。
【００６４】
なお、本実施形態においては、熱交換器５０と湿度交換器５７を直列に接続してあるが、これを湿度交換器の一部、既反応ガス側では上流側の膜面を不透過性にすることによって、同一の効果を持たせることも可能である。すなわち、同一面内で熱交換部と湿度交換部を設ける構造とすることにより、熱交換器と湿度交換器を共通の構造体とすることができ、より構成が単純化できる。
【００６５】
また、膜面を不透過性にする方法としては、保水性の多孔質体の一部に水分に対して不透過性のポリエチレンや高分子膜の薄いシートを貼り付ける方法や、ステンレスや耐食コーティングを施したアルミニウムの薄板を貼り付ける方法がある。貼り付ける位置は、既反応ガス流路の上流側となり、また、貼り付ける面は既反応ガス側がより効果が大きい。これは、既反応ガス側で一部凝縮した水が下流側の湿度交換部に移動する時に、多孔質体の中を毛細管現象で移動することができ、凝縮水が滞留することなくスムーズな湿度交換ができるからである。この場合、未反応ガスを既反応ガスと並行して流すことは言うまでもない。さらに、この変形例として、不透過部をより微細な多孔質体とし、水分を通りにくくする方法がある。この場合は、熱交換と同時に若干水分は透過して効果は小さくなるが、ほぼ同様な効果を得ることができる。
【００６６】
［５−２．作用・効果］
上記のような構成を有する本実施形態は、以下に述べるように作用する。すなわち、既反応ガスは温度が約８０℃で、湿度がほぼ１００％のガスであるため、未反応ガスに比べて大きなエンタルピを保有している。つまり、未反応ガスと既反応ガスとの熱交換を行っても、未反応ガスの温度の上昇に比べて、既反応ガスの温度の低下は少ない。したがって、本実施形態のように、まず始めに未反応ガスの温度を熱交換器５０で上昇させておいた後、湿度交換を行わせると、未反応ガスの水蒸気分圧が高くなる分だけ湿度交換効率が向上し、より多くの湿度交換が可能となる。この場合、既反応ガス側はそれほど大きな温度低下がないので、水蒸気分圧の低下を招くことなく、凝縮水を有効に未反応ガス側へと移動させることが可能となる。
【００６７】
このように、本実施形態によれば、未反応ガスの温度を熱交換器でまず始めに上昇させておいた後、湿度交換を行わせることにより、湿度交換効率が向上し、より多くの湿度交換が可能となる。したがって、安定した確実な未反応ガスの加湿が可能となるばかりでなく、湿度交換効率が向上するため、よりコンパクトなシステムを提供することが可能となる。また、熱交換器と湿度交換器を一体化することにより、さらにコンパクトで高効率のシステムの提供が可能となる。その結果、加湿に液状の水を用いることなく、未反応ガスの加湿が効率よく行えるので、外気温が０℃以下と低い状態においても、凍結の問題がない、コンパクトで高効率なシステムの提供が可能となる。
【図面の簡単な説明】
【００６８】
【図１】本発明の固体高分子型燃料電池システムの第１実施形態の構成を示す分解斜視図
【図２】第１実施形態の温湿度交換部の構成を示す縦断面図
【図３】第１実施形態の未反応ガスメッシュプレートの構成を示す平面図
【図４】第１実施形態の既反応ガスメッシュプレートの構成を示す平面図
【図５】第２実施形態の未反応ガスメッシュプレートの構成を示す平面図
【図６】第２実施形態の既反応ガスメッシュプレートの構成を示す平面図
【図７】第２実施形態の未反応ガスメッシュプレートの変形例の構成を示す平面図
【図８】第２実施形態の既反応ガスメッシュプレートの変形例の構成を示す平面図
【図９】第３実施形態の温湿度交換部の構成を示す縦断面図
【図１０】第４実施形態の保水性の多孔質体の構成を示す縦断面図
【図１１】本発明の固体高分子型燃料電池システムの第５実施形態の構成を示す概略図
【図１２】第５実施形態の温湿度交換部の構成を示す縦断面図
【図１３】固体高分子型燃料電池の構成を示す縦断面図
【符号の説明】
【００６９】
９…電池部
１０…温湿度交換部
１１…既反応酸化剤ガス出口
１２…未反応酸化剤ガス入口
１７…電池部未反応酸化剤ガス入口
１８…電池部既反応酸化剤ガス出口
２３…エンドプレート
２４…未反応ガス入口マニホールド
２５…未反応ガス出口マニホールド
２６…既反応ガス出口マニホールド
２７…既反応ガス入口マニホールド
３０…保水性多孔質体
３１…メッシュ
３２…メッシュプレート
３９…既反応ガス出口マニホールド孔
４０…未反応ガス入口マニホールド孔
４１…未反応ガス出口マニホールド孔
４２…既反応ガス入口マニホールド孔
４３…ガスシール
４５…イオン交換膜
４６…補強膜
５０…熱交換器
５３…仕切り板
５４…熱交換プレート
５５…シール部材
５６…既反応ガス通路
５７…湿度交換器
【図１】
2006302910.tif 000003
【図２】
2006302910.tif 000004
【図３】
2006302910.tif 000005
【図４】
2006302910.tif 000006
【図５】
2006302910.tif 000007
【図６】
2006302910.tif 000008
【図７】
2006302910.tif 000009
【図８】
2006302910.tif 000010
【図９】
2006302910.tif 000011
【図１０】
2006302910.tif 000012
【図１１】
2006302910.tif 000013
【図１２】
2006302910.tif 000014
【図１３】
2006302910.tif 000015